(57)【要約】【課題】  回路規模が小さく消費電流を小さく抑えることができ、ＴＤＭＡモードとＣＤＭＡモードとを有するマルチモード送信回路を提供する。【解決手段】  ＴＤＭＡモードとＣＤＭＡモードとを選択的に切り換えて用いるマルチモード送信回路において、帯域通過フィルタ１８は、位相変調手段である電圧制御発振器１７から出力される位相変調信号の送信周波数帯域以外の周波数帯域成分を減衰させかつ当該位相変調信号をろ波して通過させ、ろ波後の位相変調信号を出力する。振幅変調機能付き電力増幅器１９は、ＴＤＭＡモードにおいて、入力される被変調信号の振幅成分に従って、帯域通過フィルタ１７から出力される位相変調信号を振幅変調することにより無線送信信号を発生して出力する一方、ＣＤＭＡモードにおいて、ろ波手段から出力される位相変調信号を無線送信信号として出力する。【選択図】図１
2006186956.tif 000002
【特許請求の範囲】
【請求項１】
少なくとも１つのＴＤＭＡモードと、上記少なくとも１つのＴＤＭＡモードと実質的に同一の送信周波数を使用する少なくとも１つのＣＤＭＡモードとを選択的に切り換えて用いるマルチモード送信回路において、
上記ＴＤＭＡモード及び上記ＣＤＭＡモードにおいて、入力される被変調信号の位相成分に従って、搬送波信号を位相変調して位相変調信号を出力する位相変調手段と、
上記ＴＤＭＡモード及び上記ＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力するろ波手段と、
上記ＴＤＭＡモードにおいて、入力される被変調信号の振幅成分に従って、上記ろ波手段から出力される位相変調信号を振幅変調することにより無線送信信号を発生して出力する一方、上記ＣＤＭＡモードにおいて、上記ろ波手段から出力される位相変調信号を無線送信信号として出力する振幅変調手段とを備えたことを特徴とするマルチモード送信回路。
【請求項２】
互いに異なる第１と第２のＴＤＭＡモードを含む複数のＴＤＭＡモードと、上記第１のＴＤＭＡモードと実質的に同一の送信周波数帯域を使用する少なくとも１つのＣＤＭＡモードとを選択的に切り換えて用いるマルチモード送信回路において、
上記第１のＴＤＭＡモード及び上記ＣＤＭＡモードにおいて、入力される被変調信号の位相成分に従って、搬送波信号を位相変調して位相変調信号を出力する第１の位相変調手段と、
上記第２のＴＤＭＡモードにおいて、入力される被変調信号の位相成分に従って、搬送波信号を位相変調して位相変調信号を出力する第２の位相変調手段と、
上記第１のＴＤＭＡモード及び上記ＣＤＭＡモードにおいて、上記第１の位相変調手段から出力される位相変調信号の送信周波数帯域以外の周波数帯域成分を減衰させかつ当該位相変調信号をろ波して通過させ、ろ波後の位相変調信号を出力するろ波手段と、
上記第１のＴＤＭＡモードにおいて、入力される被変調信号の振幅成分に従って、上記ろ波手段から出力される位相変調信号を振幅変調することにより無線送信信号を発生して出力する一方、上記ＣＤＭＡモードにおいて、上記ろ波手段から出力される位相変調信号を無線送信信号として出力する第１の振幅変調手段と、
上記第２のＴＤＭＡモードにおいて、入力される被変調信号の振幅成分に従って、上記ろ波手段から出力される位相変調信号を振幅変調することにより無線送信信号を発生して出力する第２の振幅変調手段とを備えたことを特徴とするマルチモード送信回路。
【請求項３】
上記第１の振幅変調手段と、上記第２の振幅変調手段とを１つの振幅変調手段により共用することを特徴とする請求項２記載のマルチモード送信回路。
【請求項４】
互いに異なる第１と第２のＴＤＭＡモードを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する位相変調手段と、
上記第１のＴＤＭＡモード及び上記第１のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第２のＴＤＭＡモード及び上記第２のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第２のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第２のＴＤＭＡモードにおいて、入力される被変調信号の振幅成分に従って、上記第２のろ波手段から出力される位相変調信号を振幅変調することにより無線送信信号を発生して出力し、上記第１のＣＤＭＡモードにおいて、上記第１のろ波手段から出力される位相変調信号を無線送信信号として出力し、上記第２のＣＤＭＡモードにおいて、上記第２のろ波手段から出力される位相変調信号を無線送信信号として出力する振幅変調手段とを備えたことを特徴とするマルチモード送信回路。
【請求項５】
第２のＴＤＭＡモードの送信周波数が第１のＴＤＭＡモードの送信周波数の実質的に１／２である第１と第２のＴＤＭＡモードを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する位相変調手段と、
上記位相変調手段から出力される位相変調信号の周波数が実質的に１／２となるように当該位相変調信号を分周して、分周後の位相変調信号を出力する分周手段と、
上記第１のＴＤＭＡモード及び上記第１のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第１のＣＤＭＡモードにおいて、上記第１のろ波手段から出力される位相変調信号を無線送信信号として出力する第１の振幅変調手段と、
上記第２のＴＤＭＡモードにおいて、入力される被変調信号の振幅成分に従って、上記分周手段から出力される分周後の位相変調信号を振幅変調することにより無線送信信号を発生して出力し、上記第２のＣＤＭＡモードにおいて、上記分周手段から出力される分周後の位相変調信号を無線送信信号として出力する第２の振幅変調手段とを備えたことを特徴とするマルチモード送信回路。
【請求項６】
第２のＴＤＭＡモードの送信周波数が第１のＴＤＭＡモードの送信周波数の実質的に１／２である第１と第２のＴＤＭＡモードと、上記第１のＴＤＭＡモードの送信周波数から所定の第１の周波数シフト量だけシフトされた送信周波数を使用する第３のＴＤＭＡモードと、上記第２のＴＤＭＡモードの送信周波数から所定の第２の周波数シフト量だけシフトされた送信周波数を使用する第４のＴＤＭＡモードとを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する第１の位相変調手段と、
上記第３と第４のＴＤＭＡモードにおいて、入力される被変調信号の位相成分に従って、搬送波信号を位相変調して位相変調信号を出力する第２の位相変調手段と、
上記第１の位相変調手段から出力される位相変調信号の周波数が実質的に１／２となるように当該位相変調信号を分周して、分周後の位相変調信号を出力する第１の分周手段と、
上記第２の位相変調手段から出力される位相変調信号の周波数が実質的に１／２となるように当該位相変調信号を分周して、分周後の位相変調信号を出力する第２の分周手段と、
上記第１のＴＤＭＡモード及び上記第１のＣＤＭＡモードにおいて、上記第１の位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第１のＣＤＭＡモードにおいて、上記第１のろ波手段から出力される位相変調信号を無線送信信号として出力し、上記第３のＴＤＭＡモードにおいて、入力される被変調信号の振幅成分に従って、上記第２の位相変調手段から出力される位相変調信号を振幅変調することにより無線送信信号を発生して出力する第１の振幅変調手段と、
上記第２のＴＤＭＡモード及び上記第２のＣＤＭＡモードにおいて、上記第１の分周手段から出力される分周後の位相変調信号の送信周波数帯域以外の周波数帯域成分を減衰させかつ当該位相変調信号をろ波して通過させ、ろ波後の位相変調信号を出力する第２のろ波手段と、
上記第２のＴＤＭＡモードにおいて、入力される被変調信号の振幅成分に従って、上記第２のろ波手段から出力される位相変調信号を振幅変調することにより無線送信信号を発生して出力し、上記第２のＣＤＭＡモードにおいて、上記第２のろ波手段から出力される位相変調信号を無線送信信号として出力し、上記第４のＴＤＭＡモードにおいて、入力される被変調信号の振幅成分に従って、上記第２の分周手段から出力される分周後の位相変調信号を振幅変調することにより無線送信信号を発生して出力する第２の振幅変調手段とを備えたことを特徴とするマルチモード送信回路。
【請求項７】
上記各ろ波手段は、帯域通過フィルタ又は帯域阻止フィルタであることを特徴とする請求項１乃至６のうちのいずれか１つに記載のマルチモード送信回路。
【請求項８】
請求項１乃至７のうちのいずれか１つに記載のマルチモード送信回路と、
上記各ＴＤＭＡモード及び上記各ＣＤＭＡモードにおいて、受信される無線受信信号を受信し、周波数変換し、復調するマルチモード受信回路とを備えたことを特徴とするマルチモード送受信回路。
【請求項９】
上記マルチモード受信回路は、上記各位相変調手段から出力される位相変調信号、又は上記各分周手段から出力される分周後の位相変調信号を、上記周波数変換のための局部発信信号として用いることを特徴とする請求項８記載のマルチモード送受信回路。
【請求項１０】
請求項８又は９記載のマルチモード送受信回路と、
無線受信信号を受信し、無線送信信号を送信するアンテナとを備え、
上記マルチモード受信回路は、上記アンテナによって受信された無線受信信号を受信し、周波数変換し、復調し、
上記マルチモード送信回路は、当該マルチモード送信回路から出力される無線送信信号を上記アンテナに出力して放射することを特徴とする無線通信装置。
【発明の詳細な説明】
【技術分野】
【０００１】
本発明は、ＧＳＭ（Global System for mobile communication）方式などのＴＤＭＡ（Time Division Multiple Access）モードと、ＷＣＤＭＡ（Wideband Code Division Multiple Access）やＣＤＭＡ（Code Division Multiple Access）２０００方式などのＣＤＭＡモードを切り換えて信号を送信するマルチモード送信回路と、上記マルチモード送信回路に加えてマルチモード受信回路を備えたマルチモード送受信回路と、上記マルチモード送受信回路を備えた無線通信装置に関する。
【背景技術】
【０００２】
近年、携帯電話機は、第２世代と呼ばれるＧＳＭ方式などのＴＤＭＡモードと、第３世代と呼ばれるＣＤＭＡモードとを切り換えて用いることができるマルチモード無線機能を有するものが開発されて実用化されている。
【０００３】
現在では、ＧＳＭ方式やＥＤＧＥ（Enhanced Data Rates for GSM Evolution）方式などのＴＤＭＡ方式の送信機には、ポーラ変調と呼ばれるアーキテクチャが用いられている（例えば、非特許文献１参照）。また、ＧＳＭ方式やＥＤＧＥ方式では、８００ＭＨｚ帯内の２つのバンドと、１.８ＧＨｚ帯の２つのバンドの合計４つのバンドを使用するクワッドバンドを用いて携帯電話システムが構築され、ここで、８００ＭＨｚ帯と１.８ＧＨｚ帯をカバーするために、現実的には、これら２系統の送信回路を備えて構成されている。これに対してＣＤＭＡ方式では、直交変調と呼ばれるアーキテクチャが用いられている。
【０００４】
このように、異なった複数のアーキテクチャを切り替えてマルチモード送信回路を構成するために、従来では、それぞれ専用の送信回路のアーキテクチャを備え、複数のアーキテクチャを選択的に切り換える方法を用いていた（特許文献１参照）。
【０００５】
【特許文献１】特表２００２−５４３６５８号公報。
【非特許文献１】Brent Wilkins, "GSM/GPRS/EDGE Chips Form Triband Transceiver", Microwaves & RF, March 2002。
【発明の開示】
【発明が解決しようとする課題】
【０００６】
しかしながら、上記の構成を有し、ＴＤＭＡモードとＣＤＭＡモードを有するマルチモード送信回路において、同一の送信周波帯を使用する場合であっても、別々のアーキテクチャを並置して構成する必要があるために、非常に回路規模が大きくなり、部品点数も多くなるという問題点があった。
【０００７】
また、ＴＤＭＡモードでは、帯域通過フィルタを使用しない構成を採用しており、受信帯域に対する妨害を抑えるため、送信回路において大きな信号対雑音比を実現する必要があることから、消費電流が大きくなってしまうという問題点があった。
【０００８】
本発明の目的は以上の問題点を解決し、従来技術に比較して、回路規模が小さく、かつ消費電流を小さく抑えることができ、ＴＤＭＡモードとＣＤＭＡモードとを有するマルチモード送信回路と、上記マルチモード送信回路に加えてマルチモード受信回路を備えたマルチモード送受信回路と、上記マルチモード送受信回路を備えた無線通信装置を提供することにある。
【課題を解決するための手段】
【０００９】
第１の発明に係るマルチモード送信回路は、少なくとも１つのＴＤＭＡモードと、上記少なくとも１つのＴＤＭＡモードと実質的に同一の送信周波数を使用する少なくとも１つのＣＤＭＡモードとを選択的に切り換えて用いるマルチモード送信回路において、
上記ＴＤＭＡモード及び上記ＣＤＭＡモードにおいて、入力される被変調信号の位相成分に従って、搬送波信号を位相変調して位相変調信号を出力する位相変調手段と、
上記ＴＤＭＡモード及び上記ＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力するろ波手段と、
上記ＴＤＭＡモードにおいて、入力される被変調信号の振幅成分に従って、上記ろ波手段から出力される位相変調信号を振幅変調することにより無線送信信号を発生して出力する一方、上記ＣＤＭＡモードにおいて、上記ろ波手段から出力される位相変調信号を無線送信信号として出力する振幅変調手段とを備えたことを特徴とする。
【００１０】
第２の発明に係るマルチモード送信回路は、互いに異なる第１と第２のＴＤＭＡモードを含む複数のＴＤＭＡモードと、上記第１のＴＤＭＡモードと実質的に同一の送信周波数帯域を使用する少なくとも１つのＣＤＭＡモードとを選択的に切り換えて用いるマルチモード送信回路において、
上記第１のＴＤＭＡモード及び上記ＣＤＭＡモードにおいて、入力される被変調信号の位相成分に従って、搬送波信号を位相変調して位相変調信号を出力する第１の位相変調手段と、
上記第２のＴＤＭＡモードにおいて、入力される被変調信号の位相成分に従って、搬送波信号を位相変調して位相変調信号を出力する第２の位相変調手段と、
上記第１のＴＤＭＡモード及び上記ＣＤＭＡモードにおいて、上記第１の位相変調手段から出力される位相変調信号の送信周波数帯域以外の周波数帯域成分を減衰させかつ当該位相変調信号をろ波して通過させ、ろ波後の位相変調信号を出力するろ波手段と、
上記第１のＴＤＭＡモードにおいて、入力される被変調信号の振幅成分に従って、上記ろ波手段から出力される位相変調信号を振幅変調することにより無線送信信号を発生して出力する一方、上記ＣＤＭＡモードにおいて、上記ろ波手段から出力される位相変調信号を無線送信信号として出力する第１の振幅変調手段と、
上記第２のＴＤＭＡモードにおいて、入力される被変調信号の振幅成分に従って、上記ろ波手段から出力される位相変調信号を振幅変調することにより無線送信信号を発生して出力する第２の振幅変調手段とを備えたことを特徴とする。
【００１１】
上記第２の発明に係るマルチモード送信回路において、上記第１の振幅変調手段と、上記第２の振幅変調手段とを１つの振幅変調手段により共用することを特徴とする。
【００１２】
第３の発明に係るマルチモード送信回路は、互いに異なる第１と第２のＴＤＭＡモードを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する位相変調手段と、
上記第１のＴＤＭＡモード及び上記第１のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第２のＴＤＭＡモード及び上記第２のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第２のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第２のＴＤＭＡモードにおいて、入力される被変調信号の振幅成分に従って、上記第２のろ波手段から出力される位相変調信号を振幅変調することにより無線送信信号を発生して出力し、上記第１のＣＤＭＡモードにおいて、上記第１のろ波手段から出力される位相変調信号を無線送信信号として出力し、上記第２のＣＤＭＡモードにおいて、上記第２のろ波手段から出力される位相変調信号を無線送信信号として出力する振幅変調手段とを備えたことを特徴とする。
【００１３】
第４の発明に係るマルチモード送信回路は、第２のＴＤＭＡモードの送信周波数が第１のＴＤＭＡモードの送信周波数の実質的に１／２である第１と第２のＴＤＭＡモードを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する位相変調手段と、
上記位相変調手段から出力される位相変調信号の周波数が実質的に１／２となるように当該位相変調信号を分周して、分周後の位相変調信号を出力する分周手段と、
上記第１のＴＤＭＡモード及び上記第１のＣＤＭＡモードにおいて、上記位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第１のＣＤＭＡモードにおいて、上記第１のろ波手段から出力される位相変調信号を無線送信信号として出力する第１の振幅変調手段と、
上記第２のＴＤＭＡモードにおいて、入力される被変調信号の振幅成分に従って、上記分周手段から出力される分周後の位相変調信号を振幅変調することにより無線送信信号を発生して出力し、上記第２のＣＤＭＡモードにおいて、上記分周手段から出力される分周後の位相変調信号を無線送信信号として出力する第２の振幅変調手段とを備えたことを特徴とする。
【００１４】
第５の発明に係るマルチモード送信回路は、第２のＴＤＭＡモードの送信周波数が第１のＴＤＭＡモードの送信周波数の実質的に１／２である第１と第２のＴＤＭＡモードと、上記第１のＴＤＭＡモードの送信周波数から所定の第１の周波数シフト量だけシフトされた送信周波数を使用する第３のＴＤＭＡモードと、上記第２のＴＤＭＡモードの送信周波数から所定の第２の周波数シフト量だけシフトされた送信周波数を使用する第４のＴＤＭＡモードとを含む複数のＴＤＭＡモードと、上記第１と第２のＴＤＭＡモードとそれぞれ実質的に同一の送信周波数帯域を使用する互いに異なる第１と第２のＣＤＭＡモードを含む複数のＣＤＭＡモードとを選択的に切り換えて用いるマルチモード送信回路において、
上記第１と第２のＴＤＭＡモード及び上記第１と第２のＣＤＭＡモードにおいて、入力される被変調信号の位相成分に従って、搬送波信号を位相変調して位相変調信号を出力する第１の位相変調手段と、
上記第３と第４のＴＤＭＡモードにおいて、入力される被変調信号の位相成分に従って、搬送波信号を位相変調して位相変調信号を出力する第２の位相変調手段と、
上記第１の位相変調手段から出力される位相変調信号の周波数が実質的に１／２となるように当該位相変調信号を分周して、分周後の位相変調信号を出力する第１の分周手段と、
上記第２の位相変調手段から出力される位相変調信号の周波数が実質的に１／２となるように当該位相変調信号を分周して、分周後の位相変調信号を出力する第２の分周手段と、
上記第１のＴＤＭＡモード及び上記第１のＣＤＭＡモードにおいて、上記第１の位相変調手段から出力される位相変調信号の送信周波数帯域以外の周波数帯域成分を減衰させかつ当該位相変調信号をろ波して通過させ、ろ波後の位相変調信号を出力する第１のろ波手段と、
上記第１のＴＤＭＡモードにおいて、入力される被変調信号の振幅成分に従って、上記第１のろ波手段から出力される位相変調信号を振幅変調することにより無線送信信号を発生して出力し、上記第１のＣＤＭＡモードにおいて、上記第１のろ波手段から出力される位相変調信号を無線送信信号として出力し、上記第３のＴＤＭＡモードにおいて、入力される被変調信号の振幅成分に従って、上記第２の位相変調手段から出力される位相変調信号を振幅変調することにより無線送信信号を発生して出力する第１の振幅変調手段と、
上記第２のＴＤＭＡモード及び上記第２のＣＤＭＡモードにおいて、上記第１の分周手段から出力される分周後の位相変調信号の送信周波数帯域以外の周波数帯域成分を減衰させかつ当該位相変調信号をろ波して通過させ、ろ波後の位相変調信号を出力する第２のろ波手段と、
上記第２のＴＤＭＡモードにおいて、入力される被変調信号の振幅成分に従って、上記第２のろ波手段から出力される位相変調信号を振幅変調することにより無線送信信号を発生して出力し、上記第２のＣＤＭＡモードにおいて、上記第２のろ波手段から出力される位相変調信号を無線送信信号として出力し、上記第４のＴＤＭＡモードにおいて、入力される被変調信号の振幅成分に従って、上記第２の分周手段から出力される分周後の位相変調信号を振幅変調することにより無線送信信号を発生して出力する第２の振幅変調手段とを備えたことを特徴とする。
【００１５】
上記各マルチモード送信回路において、上記各ろ波手段は、帯域通過フィルタ又は帯域阻止フィルタであることを特徴とする。
【００１６】
第６の発明に係るマルチモード送受信回路は、上記各マルチモード送信回路と、
上記各ＴＤＭＡモード及び上記各ＣＤＭＡモードにおいて、受信される無線受信信号を受信し、周波数変換し、復調するマルチモード受信回路とを備えたことを特徴とする。
【００１７】
上記第６の発明に係るマルチモード送受信回路において、上記マルチモード受信回路は、上記各位相変調手段から出力される位相変調信号、又は上記各分周手段から出力される分周後の位相変調信号を、上記周波数変換のための局部発信信号として用いることを特徴とする。
【００１８】
第７の発明に係る無線通信装置は、
上記各マルチモード送受信回路と、
無線受信信号を受信し、無線送信信号を送信するアンテナとを備え、
上記マルチモード受信回路は、上記アンテナによって受信された無線受信信号を受信し、周波数変換し、復調し、
上記マルチモード送信回路は、当該マルチモード送信回路から出力される無線送信信号を上記アンテナに出力して放射することを特徴とする。
【発明の効果】
【００１９】
従って、本発明によれば、マルチモード送信回路の信号対雑音比を軽減するために、上記各位相変調手段の出力端子と、上記各振幅変調手段の入力端子の間において、上記各位相変調手段から出力される位相変調信号の送信周波数帯域以外の周波数帯域成分を減衰させかつ当該位相変調信号をろ波して通過させ、ろ波後の位相変調信号を出力するろ波手段を挿入した。それ故、従来技術に比較して、回路規模が小さく、かつ消費電流を小さく抑えることができ、ＴＤＭＡモードとＣＤＭＡモードとを有するマルチモード送信回路と、上記マルチモード送信回路に加えてマルチモード受信回路を備えたマルチモード送受信回路と、上記マルチモード送受信回路を備えた無線通信装置を実現することができる。
【発明を実施するための最良の形態】
【００２０】
以下、本発明に係る実施形態について図面を参照して説明する。なお、以下の各実施形態において、同様の構成要素については同一の符号を付している。
【００２１】
第１の実施形態．
図１は本発明の第１の実施形態に係る無線通信装置の構成を示すブロック図である。第１の実施形態に係る無線通信装置は、１つのＣＤＭＡモードのための送受信回路と、上記ＣＤＭＡモードの周波数帯と実質的に同一の周波数帯を用いる１つのＴＤＭＡモードのための送受信回路とを備え、上記２つのモードの送信回路を１系統の送信回路で構成したことを特徴としている。ここで、第１の実施形態において、
（１）ＣＤＭＡモードで用いる送信周波数は例えば８２４−８４９ＭＨｚであり、その受信周波数は例えば８６９−８９４ＭＨｚであり、
（２）ＴＤＭＡモードで用いる送信周波数は例えば８２４−８９４ＭＨｚであり、その受信周波数は例えば８６９−８９４ＭＨｚであり、
これら２つのモードで実質的に同一の周波数帯を用いる。
【００２２】
図１において、スイッチＳＷ１は、送受信の切り換えと、上記２つのモードの選択的な切り換えのために用いられる。また、スイッチＳＷ２は、送信時において上記２つのモードの選択的な切り換えのために用いられる。さらに、低域通過フィルタ１２はＴＤＭＡモードの無線送信信号を低域通過ろ波させるために設けられ、帯域通過フィルタ１４はＴＤＭＡモードの無線受信信号を帯域通過ろ波させるために設けられる。また、アンテナ共用フィルタ１３は、２つの帯域通過フィルタ１３ａ，１３ｂを備え、上記帯域通過フィルタ１３ａ，１３ｂはそれぞれＣＤＭＡモードの無線送信信号と無線受信信号とを選択的に帯域通過ろ波させるために設けられる。
【００２３】
ＣＤＭＡモードの受信時において、スイッチＳＷ１は接点ｂ側に切り換えられる。このとき、アンテナ１により受信されたＣＤＭＡモードの無線受信信号はスイッチＳＷ１の接点ｂ及びアンテナ共用フィルタ１３の帯域通過フィルタ１３ｂを介してＣＤＭＡモード受信回路２０に入力され、ＣＤＭＡモード受信回路２０は、入力される無線受信信号に対して高周波低雑音増幅、中間周波信号への周波数変換、復調などの処理を実行し、処理後のベースバンド信号を出力する。ここで、ベースバンド信号は被変調信号である。
【００２４】
また、ＴＤＭＡモードの受信時において、スイッチＳＷ１は接点ｃ側に切り換えられる。このとき、アンテナ１により受信されたＴＤＭＡモードの無線受信信号はスイッチＳＷ１の接点ｃ及び帯域通過フィルタ１４を介してＴＤＭＡモード受信回路２１に入力され、ＴＤＭＡモード受信回路２１は、入力される無線受信信号に対して高周波低雑音増幅、中間周波信号への周波数変換、復調などの処理を実行し、処理後のベースバンド信号を出力する。
【００２５】
さらに、ＴＤＭＡモードの送信時において、スイッチＳＷ１は接点ａ側に切り換えられるとともに、スイッチＳＷ２は接点ａ側に切り換えられる。このとき、無線送信すべきベースバンド信号は、振幅成分検出器１５及び位相成分検出器１６に入力され、振幅成分検出器１５は入力されるベースバンド信号から、例えば包絡線検出法などの方法を用いて、ベースバンド信号の振幅成分を検出し、当該振幅成分を示す振幅成分信号を、例えばポーラ変調法を用いる振幅変調機能付き電力増幅器１９に出力する。ここで、振幅成分検出器１５と振幅変調機能付き電力増幅器１９は振幅変調回路を構成する。また、位相成分検出器１６は入力されるベースバンド信号から、例えば振幅制限して、ベースバンド信号の位相成分を検出し、当該位相成分を示す位相成分信号を微分した後、電圧制御発振器１７に出力する。ここで、位相成分検出器１６と電圧制御発振器１７は位相変調回路を構成する。電圧制御発振器１７は、入力される位相成分信号の電圧レベルに従って、送信搬送波信号の発振周波数を変化することにより位相変調信号を発生して、送信信号成分のみを帯域通過ろ波する帯域通過フィルタ１８を介して、振幅変調機能付き電力増幅器１９に出力する。振幅変調機能付き電力増幅器１９は、帯域通過フィルタ１８からの送信搬送波信号の位相変調信号の振幅を、振幅成分検出器１５からの振幅成分信号に従って変調しかつ電力増幅して無線送信信号を発生する。当該無線送信信号は、スイッチＳＷ２の接点ａ側、帯域通過フィルタ１２及びスイッチＳＷ１の接点ａ側を介してアンテナ１１に入力された後、アンテナ１１から放射される。
【００２６】
またさらに、ＣＤＭＡモードの送信時において、スイッチＳＷ１は接点ｂ側に切り換えられるとともに、スイッチＳＷ２は接点ｂ側に切り換えられる。このとき、無線送信すべきベースバンド信号は、振幅成分検出器１５及び位相成分検出器１６に入力されるが、振幅成分検出器１６からの出力信号レベルは０に設定されて振幅変調されないように設定される。位相成分検出器１６は、ＴＤＭＡモードと同様に、入力されるベースバンド信号からベースバンド信号の位相成分を検出し、当該位相成分を示す位相成分信号を微分した後、電圧制御発振器１７に出力する。そして、電圧制御発振器１７は、入力される位相成分信号の電圧レベルに従って、送信搬送波信号の発振周波数を変化することにより位相変調信号を発生して、送信信号成分のみを帯域通過ろ波する帯域通過フィルタ１８を介して、振幅変調機能付き電力増幅器１９に出力する。振幅変調機能付き電力増幅器１９は上述のように振幅変調せず、入力された無線送信信号を電力増幅して無線送信信号を発生し、当該無線送信信号は、スイッチＳＷ２の接点ｂ側、アンテナ共用フィルタ１３の帯域通過フィルタ１３ａ及びスイッチＳＷ１の接点ｂ側を介してアンテナ１１に入力された後、アンテナ１１から放射される。
【００２７】
当該実施形態において、ＴＤＭＡモードの送信時においては、振幅変調と位相変調を組み合わせた、例えばポーラ変調法を用いて変調された無線送信信号を送信する。一方、ＣＤＭＡモードの送信時においては、振幅検出器１５からの信号を０とし、位相変調のみを行って、例えばＱＰＳＫ変調などの直交変調法を用いて変調された無線送信信号を送信する。なお、ＣＤＭＡモードにおける送受信は同時に双方向で実行され、すなわち、全二重で通信される。
【００２８】
従来技術に係るＴＤＭＡモードの無線送信回路においては、一般に帯域通過フィルタ１８は設けられていないが、その場合において、電圧制御発振器１７からの位相変調信号は送信搬送波信号に位相変調が施されたもので対応する受信周波数帯域において、無線送信信号以外の側波帯成分である雑音成分を有する。この問題点を解決するために、電圧制御発振器１７の信号対雑音比を大きくして雑音成分を抑圧する必要があるが、そのためには、電圧制御発振器１７からの位相変調信号のレベルを増大させる必要がある。これにより、無線送信回路の消費電流が増大する。この問題点を解決するために、ＴＤＭＡモードの送信時においても、帯域通過フィルタ１８を利用して位相変調時の雑音成分を除去することができて所望の信号対雑音比を得ることができ、従来技術に比較して消費電流を軽減できる。
【００２９】
さらに、上記帯域通過フィルタ１８の役割について以下に詳述する。ＣＤＭＡモードでは送信と受信が同時に実行されるため、無線送信回路の出力信号（すなわち、無線受信回路の入力信号）においての受信周波数帯域の雑音を最小受信入力時に影響しないように下げておく必要がある。しかしながら、電力増幅器１９の出力後のアンテナ共用フィルタ１３で受信周波数帯域の減衰量を大きくとろうとすれば、送信周波数における信号の損失が大きくなり、せっかく電力増幅器１９で増幅した大きな無線送信電力を無駄にしてしまう。このため、電力増幅器１９の入力端子前の帯域通過フィルタ１８で多少無線送信信号の損失が大きくても、十分に受信帯域の減衰量を大きくとることで、受信周波数帯域の雑音を下げて、しかも電力増幅器１９の入力前なので損失しても、小さい電力損失ですむため消費電力も結果として小さくすることができる。
【００３０】
また、ＴＤＭＡモードにおいては送信と受信が同時には成されないが、送信時の受信周波数帯域の雑音は自分以外の他の無線通信装置に対する干渉波となる可能性があるため、ＣＤＭＡモードと同様に受信周波数帯域の雑音成分を他の無線通信装置の受信機の最小受信入力に影響しないように下げておく必要がある。この場合、帯域通過フィルタ１８で、所定のＣＤＭＡモードの受信帯域減衰量をとっておけば、電圧制御発信器１７の信号対雑音比の大きさを緩和することができて、それにより消費電力の削減効果を得ることが可能となる。
【００３１】
以上の実施形態においては、帯域通過フィルタ１８を用いたが、本発明はこれに限らず、受信周波数帯域を含む送信周波数帯域以外の周波数帯域の成分を所定の減衰量だけ減衰させ、かつ上記送信周波数帯域の信号を帯域通過ろ波して通過させるという技術的意義から、例えば受信周波数帯域を含む送信周波数帯域以外の周波数帯域の成分を減衰させる帯域阻止フィルタや、受信周波数帯域が送信周波数帯域に対して高い場合は、低域通過フィルタを用いてもよい。また、逆に、受信周波数帯域が送信周波数帯域に対して低い場合には、高域通過フィルタを用いてもよい。すなわち、帯域通過フィルタ１８に代えて、無線送信信号の信号成分を通過ろ波させるフィルタを備えればよい。
【００３２】
以上のように構成された第１の実施形態によれば、ＴＤＭＡモードの送信時においても帯域通過フィルタ１８を用いて無線送信信号内の雑音成分を抑圧して消費電流を軽減できる。また、ＴＤＭＡモードの無線送信回路と、ＣＤＭＡモードの無線送信回路とを１系統の無線送信回路で構成しているので、従来技術に比較して回路規模を大幅に小さくでき、構成を簡単化できる。
【００３３】
第１の実施形態の変形例．
図２は、本発明の第１の実施形態の変形例に係る無線通信装置の構成を示すブロック図である。第１の実施形態の変形例は、第１の実施形態に比較して、電圧制御発振器１７と帯域通過フィルタ１８との間にスイッチＳＷ３を挿入し、ＴＤＭＡモードの受信時において、スイッチＳＷ３を接点ａから接点ｂに切り換えかつ位相変調のための電圧制御発振器１７を無変調状態に設定し、電圧制御発振器１７からの発振信号（比較的高い搬送波対雑音比を有する）を、ＴＤＭＡモード受信回路２１のための局部発振信号として用いたことを特徴としている。以下、第１の実施形態との相違点について詳述する。
【００３４】
図２において、ＴＤＭＡモード受信回路２１は、高周波低雑音増幅器３１と、混合器３２と、中間周波回路（以下、ＩＦ回路という。）３３と、復調器３４とを備えて構成される。なお、スイッチＳＷ３は、ＴＤＭＡモード及びＣＤＭＡモードの送信時において、接点ａ側に切り換えられる一方、ＴＤＭＡモードの受信時において、接点ｂ側に切り換えられる。
【００３５】
ＴＤＭＡモード受信回路２１において、帯域通過フィルタ１４から出力されるＴＤＭＡモードの無線受信信号は、高周波低雑音増幅器３１により低雑音増幅された後、混合器３２に入力される。混合器３２は、入力される無線受信信号と、電圧制御発振器１７からスイッチＳＷ３の接点ｂを介して入力される局部発振信号とを混合して低域周波数変換した後、ＩＦ回路３３により中間周波信号（以下、ＩＦ信号という。）以外の成分を除去し、除去後のＩＦ信号を増幅して復調器３４に出力する。さらに、復調器３４は、入力されるＩＦ信号を所定の復調方法を用いてベースバンド信号に復調して出力する。
【００３６】
以上説明したように、第１の実施形態の変形例によれば、第１の実施形態の作用効果に加えて、電圧制御発振器１７からの発振信号をＴＤＭＡモード受信回路２１のための局部発振信号として用いることにより、無線受信回路の発振器の個数を１だけ削減でき、無線通信装置の構成を簡単化できる。
【００３７】
第２の実施形態．
図３は、本発明の第２の実施形態に係る無線通信装置の構成を示すブロック図である。第２の実施形態に係る無線通信装置は、１つのＣＤＭＡモードのための送受信回路と、上記ＣＤＭＡモードの周波数帯と実質的に同一の第１の周波数帯を用いる１つのＴＤＭＡモード及び上記第１の周波数帯とは異なる第２の周波数帯を用いる１つのＴＤＭＡモードのための送受信回路とを備え、第１の実施形態に比較して、２つのＴＤＭＡモード（送信時）を選択的に切り換えるスイッチＳＷ４と、第２のＴＤＭＡモードの送信回路のための電圧制御発振器１７ａをさらに備えたことを特徴としている。ここで、第２の実施形態において、
（１）ＣＤＭＡモードで用いる送信周波数は例えば８２４−８４９ＭＨｚであり、その受信周波数は例えば８６９−８９４ＭＨｚであり、
（２）第１のＴＤＭＡモードで用いる送信周波数は例えば８２４−８９４ＭＨｚであり、その受信周波数は例えば８６９−８９４ＭＨｚであり、
（３）第２のＴＤＭＡモードで用いる送信周波数は例えば１７１０−１７８５ＭＨｚであり、その受信周波数は例えば１８０５−１８８０ＭＨｚである。
以下、第１の実施形態との相違点について説明する。
【００３８】
図３において、第１のＴＤＭＡモード及びＣＤＭＡモードの送信時において、スイッチＳＷ４は接点ａ側に切り換えられ、このとき、第１の実施形態と同様に、電圧制御発振器１７は、入力される位相成分信号の電圧レベルに従って、送信搬送波信号の発振周波数を変化することにより位相変調信号を発生して、送信信号成分のみを帯域通過ろ波する帯域通過フィルタ１８及びスイッチＳＷ４の接点ａ側を介して、振幅変調機能付き電力増幅器１９に出力する。一方、第２のＴＤＭＡモードの送信時において、スイッチＳＷ４は接点ｂ側に切り換えられ、このとき、電圧制御発振器１７ａは、入力される位相成分信号の電圧レベルに従って、送信搬送波信号の発振周波数を変化することにより位相変調信号を発生して、スイッチＳＷ４の接点ｂ側を介して、振幅変調機能付き電力増幅器１９に出力する。
【００３９】
以上のように構成された第２の実施形態では、第１の実施形態と同様に、第１のＴＤＭＡモードと同じ送信周波数を有するＣＤＭＡモードの無線送信回路を小型化でき、第２のＴＤＭＡモードの送信時では、帯域通過フィルタ１８を挿入していないので、上述の消費電流は大きくなるが、追加の帯域通過フィルタ１８が不要な構成で無線送信回路を共用することができ、無線送信回路の構成を小型化にすることができる。
【００４０】
第２の実施形態の変形例．
図４は、本発明の第２の実施形態の変形例に係る無線通信装置の構成を示すブロック図である。第２の実施形態の変形例は、第２の実施形態に比較して、電圧制御発振器１７ａとスイッチＳＷ４の接点ｂとの間にスイッチＳＷ５を挿入し、第２のＴＤＭＡモードの受信時において、スイッチＳＷ５を接点ａから接点ｂに切り換えかつ位相変調のための電圧制御発振器１７ａを無変調状態に設定し、電圧制御発振器１７ａからの発振信号（比較的高い搬送波対雑音比を有する）を、ＴＤＭＡモード受信回路２１のための局部発振信号として用いたことを特徴としている。以下、第２の実施形態との相違点について詳述する。
【００４１】
図４において、スイッチＳＷ５は、第２のＴＤＭＡモードの送信時において、接点ａ側に切り換えられる一方、第２のＴＤＭＡモードの受信時において、接点ｂ側に切り換えられる。前者の第２のＴＤＭＡモードの送信時において、電圧制御発振器１７ａからの位相変調信号は、スイッチＳＷ５の接点ａ側及びスイッチＳＷ４の接点ｂ側を介して帯域通過フィルタ１８に出力される。一方、後者の第２のＴＤＭＡモードの受信時において、電圧制御発振器１７ａからの位相変調信号は、局部発振信号として、スイッチＳＷ５の接点ｂ側を介してＴＤＭＡモード受信回路２１に出力される。
【００４２】
以上説明したように、第２の実施形態の変形例によれば、第２の実施形態の作用効果に加えて、電圧制御発振器１７ａからの発振信号をＴＤＭＡモード受信回路２１のための局部発振信号として用いることにより、無線受信回路の発振器の個数を１だけ削減でき、無線通信装置の構成を簡単化できる。
【００４３】
第２の実施形態の別の変形例．
図１１は、本発明の第２の実施形態の別の変形例に係る無線通信装置の構成を示すブロック図である。第２の実施形態の別の変形例は、図３の第２の実施形態に比較して、スイッチＳＷ４ａの挿入位置を、互いに同様に処理を実行する振幅変調機能付き電力増幅器１９，１９ａの後段に移動させたことを特徴としている。図１１において、電圧制御発振器１７からの位相変調信号は、帯域通過フィルタ１８及び振幅変調機能付き電力増幅器１９を介してスイッチＳＷ４の接点ａに入力される。また、電圧制御発振器１７ａからの位相変調信号は、振幅変調機能付き電力増幅器１９ａを介してスイッチＳＷ４の接点ｂに入力される。当該第２の実施形態の別の変形例の特徴的構成は、上述の第２の実施形態の変形例や他の後述する実施形態及びその変形例にも適用できる。
【００４４】
第３の実施形態．
図５は、本発明の第３の実施形態に係る無線通信装置の構成を示すブロック図である。第３の実施形態に係る無線通信装置は、２つのＣＤＭＡモード（以下、第１と第２のＣＤＭＡモードという。）のための送受信回路と、上記２つのＣＤＭＡモードの周波数帯とそれぞれ実質的に同一の周波数帯を用いる２つのＴＤＭＡモード（以下、第１と第２のＴＤＭＡモードという。）のための送受信回路とを備える。第３の実施形態において、
（１）第１のＴＤＭＡモード及び第１のＣＤＭＡモードで用いる送信周波数は例えば１７１０−１７８５ＭＨｚであり、その受信周波数は例えば１８０５−１８８０ＭＨｚである。
（２）第２のＴＤＭＡモード及び第２のＣＤＭＡモードで用いる送信周波数は例えば１８５０−１９１０ＭＨｚであり、その受信周波数は例えば１９３０−１９９０ＭＨｚである。
すなわち、第１のＴＤＭＡモードと第２のＴＤＭＡモードとの間で送受信周波数は所定の第１の周波数シフト量だけ若干異なってシフトされ、第１のＣＤＭＡモードと第２のＣＤＭＡモードとの間でも送受信周波数は所定の第２の周波数シフト量だけ若干異なってシフトされたことを特徴としている。
【００４５】
図５と図１を比較すると、第３の実施形態の構成は、第１の実施形態と比較して以下の点が異なる。
（１）スイッチＳＷ１に代えて、スイッチＳＷ１１を備える。
（２）スイッチＳＷ２に代えて、スイッチＳＷ１２を備える。
（３）第２のＣＤＭＡモードのためのアンテナ共用フィルタ２２をさらに備える。ここで、アンテナ共用フィルタ２２は、第２のＣＤＭＡモードの無線送信信号を帯域通過ろ波する帯域通過フィルタ２２ａと、第２のＣＤＭＡモードの無線受信信号を帯域通過ろ波する帯域通過フィルタ２２ｂとから構成される。
（４）第２のＴＤＭＡモードの無線受信信号を帯域通過ろ波する帯域通過フィルタ２３をさらに備える。
（５）ＣＤＭＡモード受信回路２０に代えて、第１のＣＤＭＡモード受信回路２０ａと、第２のＣＤＭＡモード受信回路２０ｂと備える。
（６）ＴＤＭＡモード受信回路２１に代えて、第１のＴＤＭＡモード受信回路２１ａと、第２のＴＤＭＡモード受信回路２１ｂと備える。
（７）帯域通過フィルタ１８に代えて、第１のＣＤＭＡモード及び第１のＴＤＭＡモードの無線送信信号を帯域通過ろ波する帯域通過フィルタ１８ａと、第２のＣＤＭＡモード及び第２のＴＤＭＡモードの無線送信信号を帯域通過ろ波する帯域通過フィルタ１８ｂとを備える。
（８）２つの帯域通過フィルタ１８ａ，１８ｂを選択的に切り換えるために連動して動作する２つのスイッチＳＷ１３，ＳＷ１４を備える。
【００４６】
図５において、第１のＴＤＭＡモードの送信時において、各スイッチＳＷ１１，ＳＷ１２，ＳＷ１３，ＳＷ１４はともに接点ａ側に切り換えられる。このとき、電圧制御発振器１７からの位相変調信号である無線送信信号は、スイッチＳＷ１４の接点ａ側と、帯域通過フィルタ１８ａと、スイッチＳＷ１３の接点ａ側とを介して振幅変調機能付き電力増幅器１９に入力され、振幅変調及び電力増幅されて、例えばポーラ変調された無線送信信号となる。次いで、当該無線送信信号は、スイッチＳＷ１２の接点ａ側と、低域通過フィルタ１２と、スイッチＳＷ１１の接点ａ側とを介してアンテナ１１に出力されて、アンテナ１１から放射される。一方、第１のＴＤＭＡモードの受信時において、スイッチＳＷ１１は接点ｄ側に切り換えられ、アンテナ１１により受信された無線受信信号はスイッチＳＷ１１の接点ｄ側と、帯域通過フィルタ１４とを介して第１のＴＤＭＡモード受信回路２１ａに入力される。次いで、第１のＴＤＭＡモード受信回路２１ａは入力される無線受信信号に対して、高周波低雑音増幅、周波数変換、復調などの処理を実行し、復調後のベースバンド信号を出力する。
【００４７】
また、第２のＴＤＭＡモードの送信時において、各スイッチＳＷ１１，ＳＷ１２はともに接点ａ側に切り換えられ、各スイッチＳＷ１３，ＳＷ１４はともに接点ｂ側に切り換えられる。このとき、電圧制御発振器１７からの位相変調信号である無線送信信号は、スイッチＳＷ１４の接点ｂ側と、帯域通過フィルタ１８ｂと、スイッチＳＷ１３の接点ｂ側とを介して振幅変調機能付き電力増幅器１９に入力され、振幅変調及び電力増幅されて、例えばポーラ変調された無線送信信号となる。次いで、当該無線送信信号は、スイッチＳＷ１２の接点ａ側と、低域通過フィルタ１２と、スイッチＳＷ１１の接点ａ側とを介してアンテナ１１に出力されて、アンテナ１１から放射される。一方、第２のＴＤＭＡモードの受信時において、スイッチＳＷ１１は接点ｅ側に切り換えられ、アンテナ１１により受信された無線受信信号はスイッチＳＷ１１の接点ｅ側と、帯域通過フィルタ２３とを介して第２のＴＤＭＡモード受信回路２１ｂに入力される。次いで、第２のＴＤＭＡモード受信回路２１ｂは入力される無線受信信号に対して、高周波低雑音増幅、周波数変換、復調などの処理を実行し、復調後のベースバンド信号を出力する。
【００４８】
さらに、第１のＣＤＭＡモードの送受信時において、各スイッチＳＷ１１，ＳＷ１２はともに接点ｂ側に切り換えられ、ＳＷ１３，ＳＷ１４はともに接点ａ側に切り換えられる。このとき、電圧制御発振器１７からの位相変調信号である無線送信信号は、スイッチＳＷ１４の接点ａ側と、帯域通過フィルタ１８ａと、スイッチＳＷ１３の接点ａ側とを介して振幅変調機能付き電力増幅器１９に入力され、電力増幅のみされて、例えばＱＰＳＫ変調などの直交変調された無線送信信号となる。次いで、当該無線送信信号は、スイッチＳＷ１２の接点ｂ側と、アンテナ共用フィルタ１３の帯域通過フィルタ１３ａと、スイッチＳＷ１１の接点ｂ側とを介してアンテナ１１に出力されて、アンテナ１１から放射される。一方、アンテナ１１により受信された無線受信信号はスイッチＳＷ１１の接点ｂ側と、アンテナ共用フィルタ１３の帯域通過フィルタ１３ｂとを介して第１のＣＤＭＡモード受信回路２０ａに入力される。次いで、第１のＣＤＭＡモード受信回路２０ａは入力される無線受信信号に対して、高周波低雑音増幅、周波数変換、復調などの処理を実行し、復調後のベースバンド信号を出力する。
【００４９】
またさらに、第２のＣＤＭＡモードの送受信時において、各スイッチＳＷ１１，ＳＷ１２はともに接点ｃ側に切り換えられ、ＳＷ１３，ＳＷ１４はともに接点ｂ側に切り換えられる。このとき、電圧制御発振器１７からの位相変調信号である無線送信信号は、スイッチＳＷ１４の接点ｂ側と、帯域通過フィルタ１８ｂと、スイッチＳＷ１３の接点ｂ側とを介して振幅変調機能付き電力増幅器１９に入力され、電力増幅のみされて、例えばＱＰＳＫ変調などの直交変調された無線送信信号となる。次いで、当該無線送信信号は、スイッチＳＷ１２の接点ｃ側と、アンテナ共用フィルタ２２の帯域通過フィルタ２２ａと、スイッチＳＷ１１の接点ｃ側とを介してアンテナ１１に出力されて、アンテナ１１から放射される。一方、アンテナ１１により受信された無線受信信号はスイッチＳＷ１１の接点ｃ側と、アンテナ共用フィルタ２２の帯域通過フィルタ２２ｂとを介して第２のＣＤＭＡモード受信回路２０ｂに入力される。次いで、第２のＣＤＭＡモード受信回路２０ｂは入力される無線受信信号に対して、高周波低雑音増幅、周波数変換、復調などの処理を実行し、復調後のベースバンド信号を出力する。
【００５０】
以上の実施形態において、第１のＴＤＭＡモードの無線送信信号に対する帯域通過ろ波特性は、帯域通過フィルタ１８ａと低域通過フィルタ１２とにより決定され、第２のＴＤＭＡモードの無線送信信号に対する帯域通過ろ波特性は、帯域通過フィルタ１８ｂと低域通過フィルタ１２とにより決定される。また、第１のＣＤＭＡモードの無線送信信号に対する帯域通過ろ波特性は、帯域通過フィルタ１８ａと帯域通過フィルタ１３ａとにより決定され、第２のＣＤＭＡモードの無線送信信号に対する帯域通過ろ波特性は、帯域通過フィルタ１８ｂと帯域通過フィルタ２２ａとにより決定される。
【００５１】
以上のように構成された第３の実施形態では、ＴＤＭＡモードとＣＤＭＡモードとを同一の周波数帯で動作させる複数の組み合わせを実現することができる無線通信装置を提供できる。また、第１の実施形態と同様に、ＴＤＭＡモードの送信時においても帯域通過フィルタ１８ａ又は１８ｂを用いて無線送信信号内の雑音成分を抑圧して消費電流を軽減できる。さらに、第１の実施形態と同様に、あるＴＤＭＡモードと同じ送信周波数を有する対応するＣＤＭＡモードの無線送信回路を小型化できる。
【００５２】
第３の実施形態の変形例
図６は、本発明の第３の実施形態の変形例に係る無線通信装置の構成を示すブロック図である。第３の実施形態の変形例は、第３の実施形態に比較して、電圧制御発振器１７とスイッチＳＷ１４の共通端子との間にスイッチＳＷ５を挿入しかつ、第２のＴＤＭＡモード受信回路２１ｂに代えて、周波数シフタ３５をさらに含む第２のＴＤＭＡモード受信回路２１ｂａを備え、第１及び第２のＴＤＭＡモードの受信時において、スイッチＳＷ５を接点ａから接点ｂに切り換えかつ位相変調のための電圧制御発振器１７を無変調状態に設定し、電圧制御発振器１７からの発振信号（比較的高い搬送波対雑音比を有する）を、第１と第２のＴＤＭＡモード受信回路２１ａ，２１ｂａのための局部発振信号として用いたことを特徴としている。以下、第３の実施形態との相違点について詳述する。
【００５３】
図６において、第１のＴＤＭＡモード受信回路２１ａは、第１や第２の実施形態の各変形例と同様に、高周波低雑音増幅器３１と、混合器３２と、ＩＦ回路３３と、復調器３４とを備えて構成される。また、第２のＴＤＭＡモード受信回路２１ｂａは、高周波低雑音増幅器３１と、混合器３２と、ＩＦ回路３３と、復調器３４と、周波数シフタ３５とを備えて構成される。
【００５４】
スイッチＳＷ５は、第１と第２のＴＤＭＡモードの送信時において、接点ａ側に切り換えられる一方、第１と第２のＴＤＭＡモードの受信時において、接点ｂ側に切り換えられる。前者の第１と第２のＴＤＭＡモードの送信時において、電圧制御発振器１７からの位相変調信号は、スイッチＳＷ５の接点ａ側を介してスイッチＳＷ１４の共通端子に出力される。一方、後者の第１のＴＤＭＡモードの受信時において、電圧制御発振器１７からの位相変調信号は、局部発振信号として、スイッチＳＷ５の接点ｂ側を介して第１のＴＤＭＡモード受信回路２１ａの混合器３２に出力される。また、後者の第２のＴＤＭＡモードの受信時において、電圧制御発振器１７からの位相変調信号は、局部発振信号として、スイッチＳＷ５の接点ｂ側、並びに、入力される局部発振信号を第１のＴＤＭＡモードの無線受信信号と第２のＴＤＭＡモードの無線受信信号との周波数分だけ周波数シフトさせる周波数シフタ３５を介して第２のＴＤＭＡモード受信回路２１ｂａの混合器３２に出力される。
【００５５】
以上説明したように、第３の実施形態の変形例によれば、第３の実施形態の作用効果に加えて、電圧制御発振器１７からの発振信号を第１と第２のＴＤＭＡモード受信回路２１ａ，２１ｂａのための局部発振信号として用いることにより、無線受信回路の発振器の個数を２だけ削減でき、無線通信装置の構成を簡単化できる。
【００５６】
第４の実施形態．
図７は、本発明の第４の実施形態に係る無線通信装置の構成を示すブロック図である。第４の実施形態に係る無線通信装置は、第３の実施形態と同様に、２つのＣＤＭＡモード（以下、第１と第２のＣＤＭＡモードという。）のための送受信回路と、上記２つのＣＤＭＡモードの周波数帯とそれぞれ実質的に同一の周波数帯を用いる２つのＴＤＭＡモード（以下、第１と第２のＴＤＭＡモードという。）のための送受信回路とを備える。第４の実施形態において、
（１）第１のＴＤＭＡモード及び第１のＣＤＭＡモードで用いる送信周波数は例えば１７１０−１７８５ＭＨｚであり、その受信周波数は例えば１８０５−１８８０ＭＨｚである。
（２）第２のＴＤＭＡモード及び第２のＣＤＭＡモードで用いる送信周波数は例えば８９０−９１５ＭＨｚであり、その受信周波数は例えば９３５−９６０ＭＨｚである。
すなわち、第２のＴＤＭＡモードの送受信周波数は第１のＴＤＭＡモードの送受信周波数の約１／２であり、第２のＣＤＭＡモードの送受信周波数も第１のＣＤＭＡモードの送受信周波数の約１／２であることを特徴としている。
【００５７】
図７と図５を比較すると、第４の実施形態の構成は、第３の実施形態と比較して以下の点が異なる。
（１）スイッチＳＷ１１に代えて、スイッチＳＷ２１を備える。
（２）スイッチＳＷ１２に代えて、２つのスイッチＳＷ２２，ＳＷ２３を備える。
（３）ＴＤＭＡモードの無線送信信号のための低域通過フィルタ１２に代えて、第１のＴＤＭＡモードの無線送信信号のための低域通過フィルタ１２ａと、第２のＴＤＭＡモードの無線送信信号のための低域通過フィルタ１２ｂとを備える。
（４）ＴＤＭＡモードの無線送信信号のための振幅変調機能付き電力増幅器１９に代えて、第１のＴＤＭＡモードの無線送信信号のための振幅変調機能付き電力増幅器１９ａと、第２のＴＤＭＡモードの無線送信信号のための振幅変調機能付き電力増幅器１９ｂとを備える。
（５）電圧制御発振器１７と、帯域通過フィルタ１８ｂとの間に、入力される局部発振信号の周波数を１／２に分周する分周器２５を挿入する。
【００５８】
図７において、第１のＴＤＭＡモードの送信時において、各スイッチＳＷ２１，ＳＷ２２はともに接点ａ側に切り換えられる。このとき、電圧制御発振器１７からの位相変調信号である無線送信信号は、帯域通過フィルタ１８ａを介して、振幅変調機能付き電力増幅器１９ａに入力され、振幅変調及び電力増幅されて、例えばポーラ変調された無線送信信号となる。次いで、当該無線送信信号は、スイッチＳＷ２２の接点ａ側と、低域通過フィルタ１２ａと、スイッチＳＷ２１の接点ａ側とを介してアンテナ１１に出力されて、アンテナ１１から放射される。一方、第１のＴＤＭＡモードの受信時において、スイッチＳＷ２１は接点ｅ側に切り換えられ、アンテナ１１により受信された無線受信信号はスイッチＳＷ２１の接点ｅ側と、帯域通過フィルタ１４とを介して第１のＴＤＭＡモード受信回路２１ａに入力される。次いで、第１のＴＤＭＡモード受信回路２１ａは入力される無線受信信号に対して、高周波低雑音増幅、周波数変換、復調などの処理を実行し、復調後のベースバンド信号を出力する。
【００５９】
また、第２のＴＤＭＡモードの送信時において、スイッチＳＷ２１は接点ｃ側に切り換えられ、スイッチＳＷ２３は接点ａ側に切り換えられる。このとき、電圧制御発振器１７からの位相変調信号である無線送信信号は分周器２５によりその周波数が１／２になるように分周され、分周された無線送信信号は、帯域通過フィルタ１８ｂを介して振幅変調機能付き電力増幅器１９ｂに入力され、振幅変調及び電力増幅されて、例えばポーラ変調された無線送信信号となる。次いで、当該無線送信信号は、スイッチＳＷ２３の接点ａ側と、低域通過フィルタ１２ｂと、スイッチＳＷ２１の接点ｃ側とを介してアンテナ１１に出力されて、アンテナ１１から放射される。一方、第２のＴＤＭＡモードの受信時において、スイッチＳＷ２１は接点ｆ側に切り換えられ、アンテナ１１により受信された無線受信信号はスイッチＳＷ２１の接点ｆ側と、帯域通過フィルタ２３とを介して第２のＴＤＭＡモード受信回路２１ｂに入力される。次いで、第２のＴＤＭＡモード受信回路２１ｂは入力される無線受信信号に対して、高周波低雑音増幅、周波数変換、復調などの処理を実行し、復調後のベースバンド信号を出力する。
【００６０】
さらに、第１のＣＤＭＡモードの送受信時において、各スイッチＳＷ２１，ＳＷ２２はともに接点ｂ側に切り換えられる。このとき、電圧制御発振器１７からの位相変調信号である無線送信信号は、帯域通過フィルタ１８ａを介して振幅変調機能付き電力増幅器１９ａに入力され、電力増幅のみされて、例えばＱＰＳＫ変調などの直交変調された無線送信信号となる。次いで、当該無線送信信号は、スイッチＳＷ２２の接点ｂ側と、アンテナ共用フィルタ１３の帯域通過フィルタ１３ａと、スイッチＳＷ２１の接点ｂ側とを介してアンテナ１１に出力されて、アンテナ１１から放射される。一方、アンテナ１１により受信された無線受信信号はスイッチＳＷ２１の接点ｂ側と、アンテナ共用フィルタ１３の帯域通過フィルタ１３ｂとを介して第１のＣＤＭＡモード受信回路２０ａに入力される。次いで、第１のＣＤＭＡモード受信回路２０ａは入力される無線受信信号に対して、高周波低雑音増幅、周波数変換、復調などの処理を実行し、復調後のベースバンド信号を出力する。
【００６１】
またさらに、第２のＣＤＭＡモードの送受信時において、スイッチＳＷ２１は接点ｄ側に切り換えられ、ＳＷ２３は接点ｂ側に切り換えられる。このとき、電圧制御発振器１７からの位相変調信号である無線送信信号は分周器２５によりその周波数が１／２になるように分周され、分周された無線送信信号は、帯域通過フィルタ１８ｂを介して振幅変調機能付き電力増幅器１９ｂに入力され、電力増幅のみされて、例えばＱＰＳＫ変調などの直交変調された無線送信信号となる。次いで、当該無線送信信号は、スイッチＳＷ２２の接点ｂ側と、アンテナ共用フィルタ２２の帯域通過フィルタ２２ａと、スイッチＳＷ２１の接点ｄ側とを介してアンテナ１１に出力されて、アンテナ１１から放射される。一方、アンテナ１１により受信された無線受信信号はスイッチＳＷ２１の接点ｄ側と、アンテナ共用フィルタ２２の帯域通過フィルタ２２ｂとを介して第２のＣＤＭＡモード受信回路２０ｂに入力される。次いで、第２のＣＤＭＡモード受信回路２０ｂは入力される無線受信信号に対して、高周波低雑音増幅、周波数変換、復調などの処理を実行し、復調後のベースバンド信号を出力する。
【００６２】
以上の実施形態において、第１のＴＤＭＡモードの無線送信信号に対する帯域通過ろ波特性は、帯域通過フィルタ１８ａと低域通過フィルタ１２ａとにより決定され、第２のＴＤＭＡモードの無線送信信号に対する帯域通過ろ波特性は、帯域通過フィルタ１８ｂと低域通過フィルタ１２ｂとにより決定される。また、第１のＣＤＭＡモードの無線送信信号に対する帯域通過ろ波特性は、帯域通過フィルタ１８ａと帯域通過フィルタ１３ａとにより決定され、第２のＣＤＭＡモードの無線送信信号に対する帯域通過ろ波特性は、帯域通過フィルタ１８ｂと帯域通過フィルタ２２ａとにより決定される。
【００６３】
以上のように構成された第４の実施形態では、ＴＤＭＡモードとＣＤＭＡモードとを同一の周波数帯で動作させかつ、１つのＴＤＭＡモードと他のＴＤＭＡモードとの周波数比の値が２であり、１つのＣＤＭＡモードと他のＣＤＭＡモードとの周波数比の値が２である組み合わせを実現することができる無線通信装置を提供できる。また、第１の実施形態と同様に、ＴＤＭＡモードの送信時においても帯域通過フィルタ１８ａ又は１８ｂを用いて無線送信信号内の雑音成分を抑圧して消費電流を軽減できる。さらに、第１の実施形態と同様に、あるＴＤＭＡモードと同じ送信周波数を有する対応するＣＤＭＡモードの無線送信回路を小型化できる。
【００６４】
第４の実施形態の変形例．
図８は、本発明の第４の実施形態の変形例に係る無線通信装置の構成を示すブロック図である。第４の実施形態の変形例は、第４の実施形態に比較して、電圧制御発振器１７と帯域通過フィルタ１８ａ及び分周器２５との間にスイッチＳＷ５を挿入しかつ、第２のＴＤＭＡモード受信回路２１ｂに代えて、周波数シフタ３５をさらに含む第２のＴＤＭＡモード受信回路２１ｂａを備え、第１及び第２のＴＤＭＡモードの受信時において、スイッチＳＷ５を接点ａから接点ｂに切り換えかつ位相変調のための電圧制御発振器１７を無変調状態に設定し、電圧制御発振器１７からの発振信号（比較的高い搬送波対雑音比を有する）を、第１と第２のＴＤＭＡモード受信回路２１ａ，２１ｂａのための局部発振信号として用いたことを特徴としている。以下、第４の実施形態との相違点について詳述する。
【００６５】
図８において、第１のＴＤＭＡモード受信回路２１ａは、第１、第２や第３の実施形態の各変形例と同様に、高周波低雑音増幅器３１と、混合器３２と、ＩＦ回路３３と、復調器３４とを備えて構成される。また、第２のＴＤＭＡモード受信回路２１ｂａは、高周波低雑音増幅器３１と、混合器３２と、ＩＦ回路３３と、復調器３４と、周波数シフタ３５とを備えて構成される。
【００６６】
スイッチＳＷ５は、第１と第２のＴＤＭＡモードの送信時において、接点ａ側に切り換えられる一方、第１と第２のＴＤＭＡモードの受信時において、接点ｂ側に切り換えられる。前者の第１と第２のＴＤＭＡモードの送信時において、電圧制御発振器１７からの位相変調信号は、スイッチＳＷ５の接点ａ側を介して帯域通過フィルタ１８ａ及び分周器２５に出力される。一方、後者の第１のＴＤＭＡモードの受信時において、電圧制御発振器１７からの位相変調信号は、局部発振信号として、スイッチＳＷ５の接点ｂ側を介して第１のＴＤＭＡモード受信回路２１ａの混合器３２に出力される。また、後者の第２のＴＤＭＡモードの受信時において、電圧制御発振器１７からの位相変調信号は、局部発振信号として、スイッチＳＷ５の接点ｂ側、並びに、入力される局部発振信号を第１のＴＤＭＡモードの無線受信信号と第２のＴＤＭＡモードの無線受信信号との周波数分だけ周波数シフトさせる周波数シフタ３５を介して第２のＴＤＭＡモード受信回路２１ｂａの混合器３２に出力される。
【００６７】
以上説明したように、第４の実施形態の変形例によれば、第４の実施形態の作用効果に加えて、電圧制御発振器１７からの発振信号を第１と第２のＴＤＭＡモード受信回路２１ａ，２１ｂａのための局部発振信号として用いることにより、無線受信回路の発振器の個数を２だけ削減でき、無線通信装置の構成を簡単化できる。
【００６８】
第５の実施形態．
図９は、本発明の第５の実施形態に係る無線通信装置の構成を示すブロック図である。第５の実施形態は、第４の実施形態において、第２の実施形態の特徴を追加したことを特徴としており、第５の実施形態に係る無線通信装置は、２つのＣＤＭＡモード（以下、第１と第２のＣＤＭＡモードという。）のための送受信回路と、上記２つのＣＤＭＡモードの周波数帯とそれぞれ実質的に同一の周波数帯を用いる２つのＴＤＭＡモード（以下、第１と第２のＴＤＭＡモードという。）のための送受信回路と、第１のＴＤＭＡモードの周波数帯から若干周波数シフトされた周波数帯を用いる第３のＴＤＭＡモードのための送受信回路と、第２のＴＤＭＡモードの周波数帯から若干周波数シフトされた周波数帯を用いる第４のＴＤＭＡモードのための送受信回路とを備える。当該第５の実施形態において、
（１）第１のＴＤＭＡモード及び第１のＣＤＭＡモードで用いる送信周波数は例えば１７１０−１７８５ＭＨｚであり、その受信周波数は例えば１８０５−１８８０ＭＨｚである。
（２）第２のＴＤＭＡモード及び第２のＣＤＭＡモードで用いる送信周波数は例えば８２４−８４９ＭＨｚであり、その受信周波数は例えば８６９−８９４ＭＨｚである。
（３）第３のＴＤＭＡモードで用いる送信周波数は例えば１８５０−１９１０ＭＨｚであり、その受信周波数は例えば１９３０−１９９０ＭＨｚである。
（４）第４のＴＤＭＡモードで用いる送信周波数は例えば８９０−９１５ＭＨｚであり、その受信周波数は例えば９３５−９６０ＭＨｚである。
なお、第１のＴＤＭＡモードの送受信周波数は第２のＴＤＭＡモードの送受信周波数の約１／２であり、第１のＣＤＭＡモードの送受信周波数も第２のＣＤＭＡモードの送受信周波数の約１／２であり、第４のＴＤＭＡモードの送受信周波数は第３のＴＤＭＡモードの送受信周波数の約１／２であることを特徴としている。
【００６９】
図９と図７を比較すると、第５の実施形態の構成は、第４の実施形態と比較して以下の点が異なる。
（１）スイッチＳＷ２１に代えて、２つの接点ｇ，ｈをさらに含むスイッチＳＷ２１ａを備える。
（２）第１のＴＤＭＡモード及び第１のＣＤＭＡモードのための電圧制御発振器１７に加えて、第３のＴＤＭＡモードのための電圧制御発振器１７ａを備える。
（３）第２のＴＤＭＡモード及び第２のＣＤＭＡモードのための分周器２５に加えて、第４のＴＤＭＡモードのために入力される位相変調信号の周波数を１／２にする分周器２５ａを備える。
（４）電圧制御発振器１７からの位相変調信号と、電圧制御発振器１７ａから帯域通過フィルタ１８ａを介して出力される位相変調信号とを選択するスイッチＳＷ４ａを備える。
（５）電圧制御発振器１７から分周器２５及び帯域通過フィルタ１８ａを介して出力される位相変調信号と、電圧制御発振器１７ａから分周器２５ａを介して入力される位相変調信号とを選択するスイッチＳＷ４ｂを備える。
（６）第３のＴＤＭＡモードのための第３のＴＤＭＡモード受信回路２１ｃと、第４のＴＤＭＡモードのための第４のＴＤＭＡモード受信回路２１ｄとをさらに備える。
【００７０】
図９において、第１のＴＤＭＡモードの送信時において、各スイッチＳＷ２１，ＳＷ２２はともに接点ａ側に切り換えられ、スイッチＳＷ４ａを接点ａ側に切り換えられる。このとき、電圧制御発振器１７からの位相変調信号である無線送信信号は、帯域通過フィルタ１８ａ及びスイッチＳＷ４ａの接点ａ側を介して、振幅変調機能付き電力増幅器１９ａに入力され、振幅変調及び電力増幅されて、例えばポーラ変調された無線送信信号となる。次いで、当該無線送信信号は、スイッチＳＷ２２の接点ａ側と、低域通過フィルタ１２ａと、スイッチＳＷ２１ａの接点ａ側とを介してアンテナ１１に出力されて、アンテナ１１から放射される。一方、第１のＴＤＭＡモードの受信時において、スイッチＳＷ２１ａは接点ｅ側に切り換えられ、アンテナ１１により受信された無線受信信号はスイッチＳＷ２１ａの接点ｅ側と、帯域通過フィルタ１４とを介して第１のＴＤＭＡモード受信回路２１ａに入力される。次いで、第１のＴＤＭＡモード受信回路２１ａは入力される無線受信信号に対して、高周波低雑音増幅、周波数変換、復調などの処理を実行し、復調後のベースバンド信号を出力する。
【００７１】
また、第２のＴＤＭＡモードの送信時において、スイッチＳＷ２１ａは接点ｃ側に切り換えられ、スイッチＳＷ２３は接点ａ側に切り換えられ、スイッチＳＷ４ｂは接点ａ側に切り換えられる。このとき、電圧制御発振器１７からの位相変調信号である無線送信信号は分周器２５によりその周波数が１／２になるように分周され、分周された無線送信信号は、帯域通過フィルタ１８ｂ及びスイッチＳＷ４ｂの接点ａ側を介して振幅変調機能付き電力増幅器１９ｂに入力され、振幅変調及び電力増幅されて、例えばポーラ変調された無線送信信号となる。次いで、当該無線送信信号は、スイッチＳＷ２３の接点ａ側と、低域通過フィルタ１２ｂと、スイッチＳＷ２１ａの接点ｃ側とを介してアンテナ１１に出力されて、アンテナ１１から放射される。一方、第２のＴＤＭＡモードの受信時において、スイッチＳＷ２１ａは接点ｆ側に切り換えられ、アンテナ１１により受信された無線受信信号はスイッチＳＷ２１ａの接点ｆ側と、帯域通過フィルタ２３とを介して第２のＴＤＭＡモード受信回路２１ｂに入力される。次いで、第２のＴＤＭＡモード受信回路２１ｂは入力される無線受信信号に対して、高周波低雑音増幅、周波数変換、復調などの処理を実行し、復調後のベースバンド信号を出力する。
【００７２】
さらに、第１のＣＤＭＡモードの送受信時において、各スイッチＳＷ２１ａ，ＳＷ２２はともに接点ｂ側に切り換えられ、スイッチＳＷ４ａは接点ａ側に切り換えられる。このとき、電圧制御発振器１７からの位相変調信号である無線送信信号は、帯域通過フィルタ１８ａ及びスイッチＳＷ４ａの接点ａ側を介して振幅変調機能付き電力増幅器１９ａに入力され、電力増幅のみされて、例えばＱＰＳＫ変調などの直交変調された無線送信信号となる。次いで、当該無線送信信号は、スイッチＳＷ２２の接点ｂ側と、アンテナ共用フィルタ１３の帯域通過フィルタ１３ａと、スイッチＳＷ２１ａの接点ｂ側とを介してアンテナ１１に出力されて、アンテナ１１から放射される。一方、アンテナ１１により受信された無線受信信号はスイッチＳＷ２１ａの接点ｂ側と、アンテナ共用フィルタ１３の帯域通過フィルタ１３ｂとを介して第１のＣＤＭＡモード受信回路２０ａに入力される。次いで、第１のＣＤＭＡモード受信回路２０ａは入力される無線受信信号に対して、高周波低雑音増幅、周波数変換、復調などの処理を実行し、復調後のベースバンド信号を出力する。
【００７３】
またさらに、第２のＣＤＭＡモードの送受信時において、スイッチＳＷ２１ａは接点ｄ側に切り換えられ、ＳＷ２３は接点ｂ側に切り換えられ、スイッチＳＷ４ｂは接点ａ側に切り換えられる。このとき、電圧制御発振器１７からの位相変調信号である無線送信信号は分周器２５によりその周波数が１／２になるように分周され、分周された無線送信信号は、帯域通過フィルタ１８ｂ及びスイッチＳＷ４ｂの接点ａ側を介して振幅変調機能付き電力増幅器１９ｂに入力され、電力増幅のみされて、例えばＱＰＳＫ変調などの直交変調された無線送信信号となる。次いで、当該無線送信信号は、スイッチＳＷ２３の接点ｂ側と、アンテナ共用フィルタ２２の帯域通過フィルタ２２ａと、スイッチＳＷ２１ａの接点ｄ側とを介してアンテナ１１に出力されて、アンテナ１１から放射される。一方、アンテナ１１により受信された無線受信信号はスイッチＳＷ２１ａの接点ｄ側と、アンテナ共用フィルタ２２の帯域通過フィルタ２２ｂとを介して第２のＣＤＭＡモード受信回路２０ｂに入力される。次いで、第２のＣＤＭＡモード受信回路２０ｂは入力される無線受信信号に対して、高周波低雑音増幅、周波数変換、復調などの処理を実行し、復調後のベースバンド信号を出力する。
【００７４】
また、第３のＴＤＭＡモードの送信時において、各スイッチＳＷ２１，ＳＷ２２はともに接点ａ側に切り換えられ、スイッチＳＷ４ａを接点ｂ側に切り換えられる。このとき、電圧制御発振器１７ａからの位相変調信号である無線送信信号は、スイッチＳＷ４ａの接点ｂ側を介して、振幅変調機能付き電力増幅器１９ａに入力され、振幅変調及び電力増幅されて、例えばポーラ変調された無線送信信号となる。次いで、当該無線送信信号は、スイッチＳＷ２２の接点ａ側と、低域通過フィルタ１２ａと、スイッチＳＷ２１ａの接点ａ側とを介してアンテナ１１に出力されて、アンテナ１１から放射される。一方、第３のＴＤＭＡモードの受信時において、スイッチＳＷ２１ａは接点ｇ側に切り換えられ、アンテナ１１により受信された無線受信信号はスイッチＳＷ２１ａの接点ｇ側と、帯域通過フィルタ２６とを介して第３のＴＤＭＡモード受信回路２１ａに入力される。次いで、第３のＴＤＭＡモード受信回路２１ｃは入力される無線受信信号に対して、高周波低雑音増幅、周波数変換、復調などの処理を実行し、復調後のベースバンド信号を出力する。
【００７５】
さらに、第４のＴＤＭＡモードの送信時において、スイッチＳＷ２１ａは接点ｃ側に切り換えられ、スイッチＳＷ２３は接点ａ側に切り換えられ、スイッチＳＷ４ｂは接点ｂ側に切り換えられる。このとき、電圧制御発振器１７ａからの位相変調信号である無線送信信号は分周器２５ａによりその周波数が１／２になるように分周され、分周された無線送信信号は、スイッチＳＷ４ｂの接点ｂ側を介して振幅変調機能付き電力増幅器１９ｂに入力され、振幅変調及び電力増幅されて、例えばポーラ変調された無線送信信号となる。次いで、当該無線送信信号は、スイッチＳＷ２３の接点ａ側と、低域通過フィルタ１２ｂと、スイッチＳＷ２１ａの接点ｃ側とを介してアンテナ１１に出力されて、アンテナ１１から放射される。一方、第２のＴＤＭＡモードの受信時において、スイッチＳＷ２１ａは接点ｈ側に切り換えられ、アンテナ１１により受信された無線受信信号はスイッチＳＷ２１ａの接点ｈ側と、帯域通過フィルタ２７とを介して第４のＴＤＭＡモード受信回路２１ｄに入力される。次いで、第４のＴＤＭＡモード受信回路２１ｄは入力される無線受信信号に対して、高周波低雑音増幅、周波数変換、復調などの処理を実行し、復調後のベースバンド信号を出力する。
【００７６】
以上の実施形態において、第１のＴＤＭＡモードの無線送信信号に対する帯域通過ろ波特性は、帯域通過フィルタ１８ａと低域通過フィルタ１２ａとにより決定され、第２のＴＤＭＡモードの無線送信信号に対する帯域通過ろ波特性は、帯域通過フィルタ１８ｂと低域通過フィルタ１２ｂとにより決定される。また、第１のＣＤＭＡモードの無線送信信号に対する帯域通過ろ波特性は、帯域通過フィルタ１８ａと帯域通過フィルタ１３ａとにより決定され、第２のＣＤＭＡモードの無線送信信号に対する帯域通過ろ波特性は、帯域通過フィルタ１８ｂと帯域通過フィルタ２２ａとにより決定される。さらに、第３のＴＤＭＡモードの無線送信信号に対する帯域通過ろ波特性は、低域通過フィルタ１２ａにより決定され、第４のＴＤＭＡモードの無線送信信号に対する帯域通過ろ波特性は、低域通過フィルタ１２ｂにより決定される。
【００７７】
以上のように構成された第５の実施形態では、例えば上述の周波数関係を有する４つのＴＤＭＡモードと２つのＣＤＭＡモードとを有する無線通信装置を提供できる。この実施例としては、例えば、ＧＳＭ方式のクワッドバンドと、ＵＭＴＳ（Universal Mobile Telecommunications System）方式のデュアルバンドとを有する無線通信装置を提供できる。また、上述の実施形態と同様に、ＴＤＭＡモードの送信時においても帯域通過フィルタ１８ａ又は１８ｂを用いて無線送信信号内の雑音成分を抑圧して消費電流を軽減できる。さらに、あるＴＤＭＡモードと同じ送信周波数を有する対応するＣＤＭＡモードの無線送信回路を小型化できる。またさらに、分周器２５，２５ａを用いることにより、電圧制御発振器１７，１７ａの個数を２個少なくすることができ、ＴＤＭＡモードの無線送信回路を小型化できる。
【００７８】
第５の実施形態の変形例
図１０は、本発明の第５の実施形態の変形例に係る無線通信装置の構成を示すブロック図である。第５の実施形態の変形例は、第５の実施形態に比較して、以下の点が異なることを特徴としている。
（１）電圧制御発振器１７ａの後段にスイッチＳＷ５ａを挿入し、分周器２５ａの後段にスイッチＳＷ５ｂを挿入する。
（２）第１のＴＤＭＡモード受信回路２１ａに代えて、周波数シフタ３５をさらに含む第１のＴＤＭＡモード受信回路２１ａａを備え、第２のＴＤＭＡモード受信回路２１ｂに代えて、周波数シフタ３５をさらに含む第２のＴＤＭＡモード受信回路２１ｂａを備える。
（３）第１と第３のＴＤＭＡモードの受信時において、スイッチＳＷ５ａを接点ａから接点ｂに切り換えかつ位相変調のための電圧制御発振器１７ａを無変調状態に設定し、電圧制御発振器１７ａからの発振信号（比較的高い搬送波対雑音比を有する）を、第１と第３のＴＤＭＡモード受信回路２１ａａ，２１ｃのための局部発振信号として用いた。
（４）第２と第４のＴＤＭＡモードの受信時において、スイッチＳＷ５ｂを接点ａから接点ｂに切り換えかつ位相変調のための電圧制御発振器１７ａを無変調状態に設定し、電圧制御発振器１７ａからの発振信号（比較的高い搬送波対雑音比を有する）を、第２と第４のＴＤＭＡモード受信回路２１ｂａ，２１ｄのための局部発振信号として用いた。
以下、第４の実施形態との相違点について詳述する。
【００７９】
図１０において、第１と第２のＴＤＭＡモード受信回路２１ａａ，２１ｂａは、上述の実施形態の各変形例と同様に、高周波低雑音増幅器３１と、混合器３２と、ＩＦ回路３３と、復調器３４とに加えて、周波数シフタ３５を備えて構成される。
【００８０】
スイッチＳＷ５ａは、第３のＴＤＭＡモードの送信時において、接点ａ側に切り換えられる一方、第１と第３のＴＤＭＡモードの受信時において、接点ｂ側に切り換えられる。前者の第３のＴＤＭＡモードの送信時において、電圧制御発振器１７ａからの位相変調信号は、スイッチＳＷ５ａの接点ａ側及びスイッチＳＷ４ａの接点ｂ側を介して振幅変調機能付き電力増幅器１９ａに出力される。一方、後者の第１のＴＤＭＡモードの受信時において、電圧制御発振器１７ａからの位相変調信号は、局部発振信号として、スイッチＳＷ５ａの接点ｂ側を介して、第１のＴＤＭＡモード受信回路２１ａａの周波数シフタ３５（入力信号を、第３のＴＤＭＡモードの局部発振信号よりも若干周波数シフトするために設けられる。）を介して混合器３２に出力される。また、後者の第３のＴＤＭＡモードの受信時において、電圧制御発振器１７ａからの位相変調信号は、局部発振信号として、スイッチＳＷ５ａの接点ｂ側を介して第３のＴＤＭＡモード受信回路２１ｂａの混合器３２に出力される。
【００８１】
また、スイッチＳＷ５ｂは、第４のＴＤＭＡモードの送信時において、接点ａ側に切り換えられる一方、第２と第４のＴＤＭＡモードの受信時において、接点ｂ側に切り換えられる。前者の第４のＴＤＭＡモードの送信時において、電圧制御発振器１７ａからの位相変調信号は、１／２分周器２５ａ、スイッチＳＷ５ｂの接点ａ側及びスイッチＳＷ４ａの接点ｂ側を介して振幅変調機能付き電力増幅器１９ａに出力される。一方、後者の第２のＴＤＭＡモードの受信時において、電圧制御発振器１７ａからの位相変調信号は、局部発振信号として、１／２分周器２５ａ及びスイッチＳＷ５ｂの接点ｂ側を介して、第２のＴＤＭＡモード受信回路２１ｂａの周波数シフタ３５（入力信号を、第４のＴＤＭＡモードの局部発振信号よりも若干周波数シフトするために設けられる。）を介して混合器３２に出力される。また、後者の第４のＴＤＭＡモードの受信時において、電圧制御発振器１７ａからの位相変調信号は、局部発振信号として、１／２分周器２５ａ及びスイッチＳＷ５ａの接点ｂ側を介して第４のＴＤＭＡモード受信回路２１ｄの混合器３２に出力される。
【００８２】
以上説明したように、第５の実施形態の変形例によれば、第５の実施形態の作用効果に加えて、電圧制御発振器１７ａからの発振信号を第１と第３のＴＤＭＡモード受信回路２１ａａ，２１ｃのための局部発振信号として用い、また、電圧制御発振器１７ａからの発振信号を分周器２５ａで１／２分周し、第２と第４のＴＤＭＡモード受信回路２１ｂａ，２１ｄのための局部発振信号として用いることにより、無線受信回路の発振器の個数を２だけ削減でき、無線通信装置の構成を簡単化できる。
【００８３】
なお、第５の実施形態及びその変形例において、さらに１つ又は複数のＣＤＭＡモードを増やす場合には第３の実施形態と同様に、アンテナ共用フィルタ１３，２２と、ＣＤＭＡモード受信回路２０ａ，２０ｂと、帯域通過フィルタ１８ａ，１８ｂとを、別のＣＤＭＡモードのための構成要素を増設することにより実現できる。また、さらに１つ又は複数のＴＤＭＡモードを増やす場合には第５の実施形態と同様に、アンテナ共用フィルタ１４，２３，２６，２７と、ＴＤＭＡモード受信回路２１ａ，２１ｂ，２１ｃ，２１ｄと、帯域通過フィルタ１８ａ，１８ｂとを、別のＴＤＭＡモードのための構成要素を増設することにより実現できる。
【００８４】
他の変形例．
以上の実施形態及びその変形例においては、マルチモードの無線通信装置について説明しているが、無線通信装置に限定することなく、光ファイバケーブルや同軸ケーブルを介して信号を送受信する有線通信装置などの通信装置に適用できる。すなわち、無線送信回路は有線送信回路などの送信回路でもよい。また、受信回路についても同様である。
【００８５】
以上の実施形態においては、種々の帯域通過フィルタを使用しているが、本発明はこれに限らず、上記の作用を実行することが可能な帯域阻止フィルタ、低域通過フィルタ、又は高域通過フィルタなどのろ波手段を用いてもよい。
【００８６】
以上の実施形態においては、種々の低域通過フィルタを使用しているが、本発明はこれに限らず、上記の作用を実行することが可能な帯域阻止フィルタ、帯域通過フィルタなどのろ波手段を用いてもよい。
【産業上の利用可能性】
【００８７】
以上詳述したように、本発明によれば、マルチモード送信回路の信号対雑音比を軽減するために、上記各位相変調手段の出力端子と、上記各振幅変調手段の入力端子の間において、上記各位相変調手段から出力される位相変調信号の送信周波数帯域以外の周波数帯域成分を減衰させかつ当該位相変調信号をろ波して通過させ、ろ波後の位相変調信号を出力するろ波手段を挿入した。それ故、従来技術に比較して、回路規模が小さく、かつ消費電流を小さく抑えることができ、ＴＤＭＡモードとＣＤＭＡモードとを有するマルチモード送信回路と、上記マルチモード送信回路に加えてマルチモード受信回路を備えたマルチモード送受信回路と、上記マルチモード送受信回路を備えた無線通信装置を実現することができる。
【図面の簡単な説明】
【００８８】
【図１】本発明の第１の実施形態に係る無線通信装置の構成を示すブロック図である。
【図２】本発明の第１の実施形態の変形例に係る無線通信装置の構成を示すブロック図である。
【図３】本発明の第２の実施形態に係る無線通信装置の構成を示すブロック図である。
【図４】本発明の第２の実施形態の変形例に係る無線通信装置の構成を示すブロック図である。
【図５】本発明の第３の実施形態に係る無線通信装置の構成を示すブロック図である。
【図６】本発明の第３の実施形態の変形例に係る無線通信装置の構成を示すブロック図である。
【図７】本発明の第４の実施形態に係る無線通信装置の構成を示すブロック図である。
【図８】本発明の第４の実施形態の変形例に係る無線通信装置の構成を示すブロック図である。
【図９】本発明の第５の実施形態に係る無線通信装置の構成を示すブロック図である。
【図１０】本発明の第５の実施形態の変形例に係る無線通信装置の構成を示すブロック図である。
【図１１】本発明の第２の実施形態の別の変形例に係る無線通信装置の構成を示すブロック図である。
【符号の説明】
【００８９】
１１…アンテナ、
１２…低域通過フィルタ、
１３，２２…アンテナ共用フィルタ、
１３ａ，１３ｂ，１４，１８，１８ａ，１８ｂ，２２ａ，２２ｂ，２３，２４，２６，２７…帯域通過フィルタ、
１５…振幅成分検出器、
１６…位相成分検出器、
１７，１７ａ…電圧制御発振器、
１９，１９ａ，１９ｂ…振幅変調機能付き電力増幅器、
２０…ＣＤＭＡモード受信回路、
２０ａ…第１のＣＤＭＡモード受信回路、
２０ｂ…第２のＣＤＭＡモード受信回路、
２１…ＴＤＭＡモード受信回路、
２１ａ，２１ａａ…第１のＴＤＭＡモード受信回路、
２１ｂ，２１ｂａ…第２のＴＤＭＡモード受信回路、
２１ｃ…第３のＴＤＭＡモード受信回路、
２１ｄ…第４のＴＤＭＡモード受信回路、
２５，２５ａ…分周器、
３１…高周波低雑音増幅器、
３２…混合器、
３３…中間周波回路（ＩＦ回路）、
３４…復調器、
３５…周波数シフタ、
ＳＷ１，ＳＷ２，ＳＷ３，ＳＷ４，ＳＷ４ａ，ＳＷ４ｂ，ＳＷ５，ＳＷ５ａ，ＳＷ５ｂ，ＳＷ１１，ＳＷ１２，ＳＷ１３，ＳＷ１４，ＳＷ２１，ＳＷ２１ａ，ＳＷ２２，ＳＷ２３…スイッチ。
【図１】
2006186956.tif 000003
【図２】
2006186956.tif 000004
【図３】
2006186956.tif 000005
【図４】
2006186956.tif 000006
【図５】
2006186956.tif 000007
【図６】
2006186956.tif 000008
【図７】
2006186956.tif 000009
【図８】
2006186956.tif 000010
【図９】
2006186956.tif 000011
【図１０】
2006186956.tif 000012
【図１１】
2006186956.tif 000013